(57)【特許請求の範囲】
【請求項１】
軟質材の袋部材に空気を吹き込むことにより形成される袋体からなる防災頭巾であって、
前記袋部材は、同一形状の一対の袋部からなり、
前記袋部は、半円面形に形成された頂頭部と、該頂頭部に接続し、半円を形成する側と対向する方向に次第に幅が狭まるように形成された側頭部と、該側頭部に接続する顎部と、からなる軟質平面体一対を同体に重ね合わせ、
前記軟質平面体一対を一体に貫通する複数の貫通孔部が設けられ、
前記軟質平面体の周縁部及び前記貫通孔部の周縁部において、前記重ね合わせによる重なり部を溶着又は接着して外気から遮蔽され、
前記一対の袋部は、前記半円を形成する周縁で接続されており、
前記袋部材には、空気を出し入れするための空気出入口が備えられており、
前記空気出入口から空気を吹き込むことにより前記袋部材が膨らみ、頭部を覆う形状に形成されることを特徴とする防災頭巾。
【請求項２】
前記空気出入口は前記顎部に備えられている請求項１に記載の防災頭巾。
【請求項３】
前記空気出入口には前記袋体からの空気が外部に漏出するのを防ぐ逆止弁を備えている請求項１又は２に記載の防災頭巾。
【請求項４】
頭部を覆うフード部材と、該フード部材の内面に当接固定された長尺の袋部材と、からなる防災頭巾であって、
前記フード部材は、半円面形に形成された頂頭部と、該頂頭部に接続し、半円を形成する側と対向する方向に次第に幅が狭まるように形成された側頭部と、該側頭部に接続する顎部と、からなる軟質平面体一対を同体に重ね合わせ、前記半円を形成する半円周縁部同士を接続してなり、
前記袋部材は、複数の長尺チューブを並列に配置したチューブ束と、該チューブ束に前記顎部に当接して一体に合流した一対の接続チューブからなり、
前記袋部材には、空気を出し入れするための空気出入口が備えられており、
空気出入口から空気を吹き込むことにより前記袋部材が膨らみ、頭部を覆う形状に形成されることを特徴とする防災頭巾。
【請求項５】
前記側頭部に外部の音を聞くための複数の貫通孔からなる音孔部を備える請求項４に記載の防災頭巾。
【請求項６】
前記空気出入口は前記接続チューブに備えられている請求項４又は５に記載の防災頭巾。
【請求項７】
前記空気出入口には前記袋体からの空気が外部に漏出するのを防ぐ逆止弁を備えている請求項４乃至６のうちのいずれかに記載の防災頭巾。
【発明の詳細な説明】
【技術分野】
【０００１】
本発明は、防災頭巾に関する。更に詳しくは、軟質材の袋部材に空気を吹き込むことにより形成される袋体からなる防災頭巾に関する。
【背景技術】
【０００２】
近年、地震や火災などに備えて防災グッズが常備されるようになってきている。特に、頭部を保護するための防災頭巾は、緊急の場合に直ちに装着することが要請されるものであり、手の届かないところに保管しておくことは好ましくない。
ここで、頭巾とスリッパの機能付き防災座布団が提案されている（例えば、特許文献１参照。）。この防災座布団は、座布団を防災頭巾とスリッパに分割し、それらを面ファスナーによって接続してある。この構成であれば、普段は座布団として使用でき、災害時には、分割してそれらを使用することができる。
座布団であれば、身近に置いておけるため、すぐに使用ができ、頭と足の保護ができる。
【先行技術文献】
【特許文献】
【０００３】
【特許文献１】特開２００６−１８７５６５号公報
【発明の開示】
【発明が解決しようとする課題】
【０００４】
しかし、特許文献１に記載の防災頭巾では、身近に置いておくことができても、置き場所から離れたところでは、緊急時に身につけることが困難な場合も生ずる。
【０００５】
本発明は、上記実情に鑑みてなされたものであり、緊急の災害においても、常に身につけておき、緊急時において直ちに頭部を保護することができる防災頭巾を提供することを解決すべき課題としている。
【課題を解決するための手段】
【０００６】
本発明は、以下の通りである。
１．軟質材の袋部材に空気を吹き込むことにより形成される袋体からなる防災頭巾であって、
前記袋部材は、同一形状の一対の袋部からなり、
前記袋部は、半円面形に形成された頂頭部と、該頂頭部に接続し、半円を形成する側と対向する方向に次第に幅が狭まるように形成された側頭部と、該側頭部に接続する顎部と、からなる軟質平面体一対を同体に重ね合わせ、
前記軟質平面体一対を一体に貫通する複数の貫通孔部が設けられ、
前記軟質平面体の周縁部及び前記貫通孔部の周縁部において、前記重ね合わせによる重なり部を溶着又は接着して外気から遮蔽され、
前記一対の袋部は、前記半円を形成する周縁で接続されており、
前記袋部材には、空気を出し入れするための空気出入口が備えられており、
前記空気出入口から空気を吹き込むことにより前記袋部材が膨らみ、頭部を覆う形状に形成されることを特徴とする防災頭巾。
２．前記空気出入口は前記顎部に備えられている１．に記載の防災頭巾。
３．前記空気出入口には前記袋体からの空気が外部に漏出するのを防ぐ逆止弁を備えている１．又は２．に記載の防災頭巾。
４．頭部を覆うフード部材と、該フード部材の内面に当接固定された長尺の袋部材と、からなる防災頭巾であって、
前記フード部材は、半円面形に形成された頂頭部と、該頂頭部に接続し、半円を形成する側と対向する方向に次第に幅が狭まるように形成された側頭部と、該側頭部に接続する顎部と、からなる軟質平面体一対を同体に重ね合わせ、前記半円を形成する半円周縁部同士を接続してなり、
前記袋部材は、複数の長尺チューブを並列に配置したチューブ束と、該チューブ束に前記顎部に当接して一体に合流した一対の接続チューブからなり、
前記袋部材には、空気を出し入れするための空気出入口が備えられており、
空気出入口から空気を吹き込むことにより前記袋部材が膨らみ、頭部を覆う形状に形成されることを特徴とする防災頭巾。
５．前記側頭部に外部の音を聞くための複数の貫通孔からなる音孔部を備える４．に記載の防災頭巾。
６．前記空気出入口は前記接続チューブに備えられている４．又は５．に記載の防災頭巾。
７．前記空気出入口には前記袋体からの空気が外部に漏出するのを防ぐ逆止弁を備えている４．乃至６．のうちのいずれかに記載の防災頭巾。
【発明の効果】
【０００７】
本発明の防災頭巾は、軟質材の袋部材に空気を吹き込むことにより形成される袋体からなる防災頭巾であって、前記袋部材は、同一形状の一対の袋部からなり、前記袋部は、半円面形に形成された頂頭部と、該頂頭部に接続し、半円を形成する側と対向する方向に次第に幅が狭まるように形成された側頭部と、該側頭部に接続する顎部と、からなる軟質平面体一対を同体に重ね合わせ、前記軟質平面体一対を一体に貫通する複数の貫通孔が設けられ、前記軟質平面体の周縁部及び前記貫通孔の周縁部において、前記重ね合わせによる重なり部を溶着又は接着して外気から遮蔽され、前記一対の袋部は、前記半円を形成する周縁で接続されており、前記袋部材には、空気を出し入れするための空気出入口が備えられており、前記空気出入口から空気を吹き込むことにより前記袋部材が膨らみ、頭部を覆う形状に形成されることを特徴とするため、通常は、小さく折りたたんで、身につけて持ち運ぶことが可能であり、緊急時には、直ちに息を空気出入口から吹き込むことによって、防災頭巾を形成して頭部を保護することができる。
【０００８】
また、前記空気出入口が前記顎部に備えられている場合には、頭部に装着した後に空気出入口に口を当てて息を吹き込むことができるため、更に効果的に緊急時に備えることができる。
更に前記空気出入口には前記袋体からの空気が外部に漏出するのを防ぐ逆止弁を備えている場合には、息を吹き込んで特に操作をしなくても、袋体からの空気が外部に漏出することがないため、特に効果的に緊急時に備えることができる。
【０００９】
また、本他の発明の防災頭巾は、頭部を覆うフード部材と、該フード部材の内面に当接固定された長尺の袋部材と、からなる防災頭巾であって、前記フード部材は、半円面形に形成された頂頭部と、該頂頭部に接続し、半円を形成する側と対向する方向に次第に幅が狭まるように形成された側頭部と、該側頭部に接続する顎部と、からなる軟質平面体一対を同体に重ね合わせ、前記半円を形成する半円周縁部同士を接続してなり、前記袋部材は、複数の長尺チューブを並列に配置したチューブ束と、該チューブ束に前記顎部に当接して一体に合流した一対の接続チューブからなり、前記袋部材には、空気を出し入れするための空気出入口が備えられており、空気出入口から空気を吹き込むことにより前記袋部材が膨らみ、頭部を覆う形状に形成されることを特徴とするため、通常は、小さく折りたたんで、身につけて持ち運ぶことが可能であり、緊急時には、直ちに息を空気出入口から吹き込むことによって、防災頭巾を形成して頭部を保護することができる。
【００１０】
前記側頭部に外部の音を聞くための複数の貫通孔からなる音孔部を備える場合には、緊急時に音で知らせる情報を聞き逃さないようにすることができる。
更に、前記空気出入口が前記接続チューブに備えられている場合には、頭部に装着した後に空気出入口に口を当てて息を吹き込むことができるため、更に効果的に緊急時に備えることができる。
また、前記空気出入口には前記袋体からの空気が外部に漏出するのを防ぐ逆止弁を備えている場合には、息を吹き込んで特に操作をしなくても、袋体からの空気が外部に漏出することがないため、特に効果的に緊急時に備えることができる。
【図面の簡単な説明】
【００１１】
【図１】本発明の実施例に係る防災頭巾を装着した場合の模式的な正面図である。
【図２】本発明の実施例に係る防災頭巾を示す模式的な正面図である。
【図３】本発明の実施例に係る防災頭巾を示す模式的な背面図である。
【図４】本発明の実施例に係る防災頭巾を示す模式的な側面図である。
【図５】図４のＡ−Ａ断面図である。
【図６】本発明の実施例に係る防災頭巾の空気を抜いた状態を示す模式的な斜視図である。
【図７】本発明の実施例に係る防災頭巾の空気を抜いて折りたたんだ状態を示す模式的な斜視図である。
【図８】本他の発明の実施例に係る防災頭巾を装着した場合の模式的な側面図である。
【図９】本他の発明の実施例に係る防災頭巾を装着した場合の模式的な正面図である。
【図１０】本他の発明の実施例に係る防災頭巾の内側を示す模式図である。
【図１１】本他の発明の実施例に係る防災頭巾のうちのフード部材の製造方法を示し、フード部材の裁断箇所を示す説明図である。
【図１２】本他の発明の実施例に係る防災頭巾のうちのフード部材の製造方法を示し、裁断した状態を示し、副産物としてのスリッパの製造も示す説明図である。
【図１３】本他の発明の実施例に係る防災頭巾のうちのフード部材の溶着した状態を示し、副産物としてのスリッパの製造に係る溶着した状態を示す説明図である。
【図１４】本他の発明の実施例に係る防災頭巾のうちのフード部材の製造方法を示し、音孔部の製造と、スリッパの足の挿入箇所の製造を示す説明図である。
【発明を実施するための形態】
【００１２】
以下、本発明を図１〜図１４を用いて詳しく説明する。なお、本発明はこれらの図に限定されるものではなく、技術的思想の範囲内において、種々の形態に変更が可能である。
【００１３】
防災頭巾１は、本発明に係る防災頭巾を具体化したものである。
防災頭巾１は、図１に示すように、軟質材の袋部材１０に空気を吹き込むことにより形成される袋体からなる防災頭巾であって、袋部材１０は、同一形状の一対の袋部１１、１２からなる。
袋部１１、１２は、図６に示すように、半円面形に形成された頂頭部Ａと、該頂頭部Ａに接続し、半円を形成する側と対向する方向に次第に幅が狭まるように形成された側頭部Ｂと、側頭部Ｂに接続する顎部Ｃと、からなる軟質平面体１１ａ、１１ｂ一対を同体に重ね合わせて形成されている（図５参照。）。また、軟質平面体１２ａ、１２ｂ一対を同体に重ね合わせて形成されている（図５参照。）
【００１４】
図４〜図６に示すように、軟質平面体一対を一体に貫通する複数の貫通孔部２５が設けられ、前記軟質平面体の周縁部５５及び前記貫通孔部の周縁部２１において、前記重ね合わせによる重なり部を溶着又は接着して外気から遮蔽される。
複数の貫通孔部２５を設け、その周縁部２１を溶着又は接着することにより、空気を吹き込んだときに、風船のように丸く膨らむのを防止し、全体として頭巾の形状とすることができる。
前記一対の袋部１１、１２は、前記半円を形成する周縁１５で接続されている。
【００１５】
前記袋部材には、空気を出し入れするための空気出入口３０が備えられており、空気出入口３０から空気を吹き込むことにより袋部材１０が膨らみ、頭部を覆う形状に形成される。
【００１６】
空気出入口は図２に示すように、顎部Ｃに備えられていることが好ましい。こうすることで、空気を吹き込む前に、頭部に防災頭巾１を装着し、その後、口の近くに設けられた空気出入口３０から空気を口で吹き込むことにより、袋体を形成させることができる。そのため、緊急の災害に対してより迅速に、頭部の安全を確保することができる。
空気出入口３０は吹き込んだ空気が外部に漏出するのを防ぐ逆止弁であることが好ましい。こうすることで、より効果的に安全性を確保することができる。
尚、図２に示すように、さらに、空気の漏出防止を完全なものとするために、気密栓３５で空気出入口３０を塞ぐことが好ましい。
【００１７】
また、装着した防災頭巾１が頭部から脱落しないように、図２、図３に示すように、釦部材４０、４５により顎の下部で係止固定することが好ましい。尚、釦部材に限らず、面ファスナー、紐部材などにより、係止固定してもよい。
【００１８】
防災頭巾１は、使用しない場合においては、空気出入口３０から空気を送出すると、図６に示すように、扁平状となるが、図７に示すように更に折りたたんで、コンパクトにすることができる。こうすることで、衣服のポケット、バッグのポケットなどに入れて、常に身の回りに保有しておくことができ、緊急時に備えることができる。
【００１９】
防災頭巾２は、本他の発明を具体化したものである。
防災頭巾２は、図８に示すように、頭部を覆うフード部材５０と、フード部材５０の内面に当接固定された長尺の袋部材６０と、からなる。
通常の防災頭巾であるフード部材に更に袋部材６０を内部に当接固定することにより、災害時において頭部の保護をより完全なものとすることが可能となる。
【００２０】
フード部材５０は、図１４に示すように、半円面形に形成された頂頭部Ｄと、該頂頭部Ｄに接続し、半円を形成する側と対向する方向に次第に幅が狭まるように形成された側頭部Ｅと、側頭部に接続する顎部Ｆと、からなる軟質平面体５１、５２一対を同体に重ね合わせ、前記半円を形成する半円周縁部５３同士を接続して形成される。
この接続は、特に限定はなく、溶着、接着、縫着等の方法を採用することができる。
【００２１】
前記袋部材６０は、図１０に示すように、複数の長尺チューブ６１を並列に配置したチューブ束と、該チューブ束に前記顎部に当接して一体に合流した一対の接続チューブ６２からなる。
前記袋部材６０には、空気を出し入れするための空気出入口３０が備えられており、空気出入口３０から空気を吹き込むことにより前記袋部材６０が膨らみ、頭部を覆う形状に形成される。
長尺チューブを並列に配置することにより、空気を吹き込んだときに、風船のように丸く膨らむのを防止し、全体として頭巾の形状とすることができる。
また、チューブ束を一体に合流した接続チューブとすることにより、接続チューブのみから、空気を吹き込むことにより、複数の長尺チューブすべてを膨らませることができる。
【００２２】
なお、図１０においては、空気出入口３０は一箇所のみであるが、対向する側にも備えることができる。
空気出入口は図１４に示すように、顎部Ｅに備えられていることが好ましい。こうすることで、空気を吹き込む前に、頭部に防災頭巾２を装着し、その後、口の近くに設けられた空気出入口３０から空気を口で吹き込むことにより、袋体を形成させることができる。そのため、緊急の災害に対してより迅速に、頭部の安全を確保することができる。
空気出入口の構造、気密栓３５については、防災頭巾１と同様であるため、その説明を省略する。
【００２３】
図８、図９に示すように、側頭部には、外部の音を聞くための複数の貫通孔からなる音孔部５７が備えられていることが好ましい。こうすることで、緊急時に音で知らせる情報を聞き逃さないようにすることができる。
【００２４】
また、装着した防災頭巾２が頭部から脱落しないように、図７、図８に示すように、係止部７０において、顎に係止固定することが好ましい。係止固定するには、防災頭巾１と同様、釦部材、面ファスナー、紐部材などを用いることができる。
【００２５】
フード部材２を製造方法を図１１〜１４を参照しつつ説明する。まず、図１１に示すように、全体が略楕円形で下方に向かって少し狭まる同一形状の軟質平面体２枚を用意する。そして、裁断部９０で裁断する。そうすると、図１２に示すように、フード部材を形成するための軟質平面体５１、５２が得られる。
更に、その場合の副産物として、スリッパの材料としての一組のスリッパ部材８１、８２も得ることができる。
【００２６】
次いで、図１３に示すように、軟質平面体５１、５２の半円を形成する半円周縁部５３同士を溶着又は接着をする。同様に、スリッパ部材８１、８２の周縁部８５同士を溶着又は接着をする。
その後、図１４に示すように、フード部材の側頭部Ｅに複数の貫通孔を設けて、音孔部５７を形成する。更に、スリッパ部材８１の中央縦長に、切り込み８７を入れることにより足の挿入箇所を形成し、スリッパが出来上がる。
【符号の説明】
【００２７】
１０、６０  袋部材
１、２      防災頭巾
１１、１２  袋部
Ａ、Ｄ      頂頭部
Ｂ、Ｅ      側頭部
Ｃ、Ｆ      顎部
１１ａ、１１ｂ、１２ａ、１２ｂ、５１、５２  軟質平面体
２５        貫通孔部
５５        軟質平面体の周縁部
２１        貫通孔部の周縁部
１５        半円を形成する周縁
３０        空気出入口
５０        フード部材
５３        半円を形成する半円周縁部
６１        長尺チューブ
６２        接続チューブ
５７        音孔部
【図１】
0005693360.tif 000002
【図２】
0005693360.tif 000003
【図３】
0005693360.tif 000004
【図４】
0005693360.tif 000005
【図５】
0005693360.tif 000006
【図６】
0005693360.tif 000007
【図７】
0005693360.tif 000008
【図８】
0005693360.tif 000009
【図９】
0005693360.tif 000010
【図１０】
0005693360.tif 000011
【図１１】
0005693360.tif 000012
【図１２】
0005693360.tif 000013
【図１３】
0005693360.tif 000014
【図１４】
0005693360.tif 000015